(57)【要約】【課題】画角を分割させることにより広画角を確保するようにすると共に、前記分割された画角のそれぞれに対応する別途の非軸レンズ系を備えさせることによりモバイルカメラ光学系の薄型化をもたらすようにするモバイルカメラ光学系の提供。【解決手段】モバイルカメラ光学系の画角を同一の量で２以上分割させ、前記分割された画角のそれぞれに対応し、前記それぞれの分割された画角によって入射した光ビームを透過させる２以上のレンズ系と、前記２以上のレンズ系を介して透過した光ビームを受光する単一のイメージセンサとを含んでなる、超薄型モバイルカメラ光学レンズシステムを提供する。【選択図】図７
2007047792.tif 000002
【特許請求の範囲】
【請求項１】
モバイルカメラ光学系の画角を同一の量で２以上に分割させ、前記分割された画角のそれぞれに対応し、前記それぞれの分割された画角によって入射した光ビームを透過させる２以上のレンズ系と、
前記２以上のレンズ系を介して透過した光ビームを受光する単一のイメージセンサとを含んでなることを特徴とする、超薄型モバイルカメラ光学レンズシステム。
【請求項２】
前記画角の分割は、モバイルカメラに入力される光ビームを互いに異なる光軸を持つように分割することにより得られる請求項１記載の超薄型モバイルカメラ光学レンズシステム。
【請求項３】
前記２以上のレンズ系のいずれか一つは、光ビームが入射する入射面と、２つの反射面と、射出面とを含んで形成されるが、前記２つの反射面は、基準軸に対して傾いて形成される請求項１記載の超薄型モバイルカメラ光学レンズシステム。
【請求項４】
前記２以上のレンズ系は、対称に形成される請求項１または３記載の超薄型モバイルカメラ光学レンズシステム。
【請求項５】
前記レンズ系は、非軸レンズ系で構成される請求項１または３記載の超薄型モバイルカメラ光学レンズシステム。
【請求項６】
前記非軸レンズ系のそれぞれの面は、つぎの式を満足するＸＹ多項式自由曲面で形成され、
【数１】
2007047792.tif 000006
ｚは自由曲面のｚ軸、ｃは頂点曲率、ｋは円錐定数、Ｃj（ｊは２以上の整数）は係数をそれぞれ示している請求項５記載の超薄型モバイルカメラ光学レンズシステム。
【請求項７】
前記複数のレンズ系は、一体にまたは部分的に射出金型によって製作され、あるいはウェーハスケールで製作される請求項１記載の超薄型モバイルカメラ光学レンズシステム。
【請求項８】
前記単一のイメージセンサは、前記分割された画角の数に対応するようにそれぞれ分割されて、前記複数のレンズ系を透過した光ビームが前記イメージセンサのそれぞれの領域に結像するようにしたことを特徴とする、請求項１に記載の超薄型モバイルカメラ光学レンズシステム。
【請求項９】
前記イメージセンサのそれぞれの領域に結像したイメージは、フォトスティッチングまたはパノラマモザイク方法によって結合する請求項８記載の超薄型モバイルカメラ光学レンズシステム。
【請求項１０】
前記光学レンズシステムは、Ｌ／ＩＤ≦０．６を満足し、Ｌが全長を示し、ＩＤがイメージセンサの対角長さを示す請求項１記載の超薄型モバイルカメラ光学レンズシステム。
【請求項１１】
モバイルカメラ光学系の画角を同一の量で２以上に分割させる段階と、
前記分割された画角によって入射したそれぞれの光ビームを対応するそれぞれのレンズ系を介して透過させる段階と、
前記それぞれのレンズ系を介して透過した光ビームを対応するイメージセンサのそれぞれの領域に結像させる段階と、
前記イメージセンサのそれぞれの領域に結像したイメージを結合させる段階と
を含んでなる
ことを特徴とする、超薄型モバイルカメラ光学レンズシステムを用いたイメージ結像方法。
【請求項１２】
前記画角の分割は、モバイルカメラに入力される光ビームを互いに異なる光軸を持つように分割することにより得られることを特徴とする、請求項１１に記載の超薄型モバイルカメラ光学レンズシステムを用いたイメージ結像方法。
【請求項１３】
前記レンズ系は、非軸レンズ系で構成される請求項１１記載の超薄型モバイルカメラ光学レンズシステムを用いたイメージ結像方法。
【請求項１４】
前記非軸レンズ系のそれぞれの面は、つぎの式を満足するＸＹ多項式自由曲面で形成され、
【数２】
2007047792.tif 000007
ｚは自由曲面のｚ軸、ｃは頂点曲率、ｋは円錐定数、Ｃj（ｊは２以上の整数）は係数をそれぞれ示す請求項１３記載の超薄型モバイルカメラ光学レンズシステムを用いたイメージ結像方法。
【請求項１５】
前記単一のイメージセンサは、前記分割された画角の数に対応するようにそれぞれ分割されて、前記複数のレンズ系を透過した光ビームが前記イメージセンサのそれぞれの領域に結像するようにした請求項１１記載の超薄型モバイルカメラ光学レンズシステムを用いたイメージ結像方法。
【請求項１６】
前記レンズが倒立像の場合、前記イメージセンサのそれぞれの領域に結像したイメージの結合は、フォトスティッチングまたはパノラマモザイク方法によって行われる請求項１１記載の超薄型モバイルカメラ光学レンズシステムを用いたイメージ結像方法。
【発明の詳細な説明】
【技術分野】
【０００１】
本発明は、モバイルカメラ光学系に係り、より詳しくは、画角を分割させることにより広画角を確保するようにすると共に、前記分割された画角のそれぞれに対応する別途の非軸レンズ系を備えさせることによりモバイルカメラ光学系の薄型化をもたらすようにするモバイルカメラ光学系に関する。
【背景技術】
【０００２】
最近、デジタル技術の発達に伴い、画像圧縮および復元技術などの向上とマルチメディア製品の周辺機器技術の向上によってモバイルカメラレンズの薄型化と小型化を実現するためにひっきりなしに研究開発されている実情である。このような趨勢に対応するために、モバイルカメラは、性能に優れると共に、超薄型カメラレンズ光学系を備える携帯性に優れる製品が要求されている。
【０００３】
この種のモバイルカメラ用光学系レンズとして、従来では光軸方向に対して多数の回転対称型のレンズが縦に配置される形の共軸系のカメラレンズ系が一般に用いられてきた。このような共軸系のカメラレンズ系の一形態が図１に示されている。図１を参照すると、このような共軸系のカメラレンズ系は、回転対称型のレンズが縦に配置されることにより、その長さの光軸方向への縮小には一般的に限界を持っている。特に、このようなモバイルカメラレンズ系の全長はイメージセンサの対角長さとほぼ同一の水準で決定されるという点からみて、デジタルモバイル機器の小型化の達成には相当な難しさが伴うという問題がある。
【０００４】
したがって、かかる問題点を解消するために、プリズムレンズを用いてモバイル機器の小型化をもたらすようにした光学レンズ系またはリレイ形式の非軸結像レンズを用いてモバイル機器の小型化を追求するようにした光学レンズ系が提案されている。
【０００５】
特に特許文献１は、プリズムレンズ系を用いる光学系を開示している。このような光学系の構成を図２を参照して考察すると、第１プリズム１０、第２プリズム、低域フィルタ４およびイメージプレイン３を含んでモバイルカメラ光学系を構成していることが分かる。ところが、図２に示されているように、このようなプリズムレンズ系を用いてモバイルカメラ光学系を構成しても、前記光学系の全長対イメージセンサの対角長さの比（全長／イメージセンサの対角長さ）は２．４〜４．３の範囲内で形成されるところ、前記光学システムの全長の縮小には極めて制限的であることが分かる。
【０００６】
他の一実施例として、日本特開平８−２９２３７１号は、非軸結像レンズを用いる光学系を開示している。図３を参照して前記光学系を説明すると、前記光学系は、第１面Ｒ１は絞り、第２面Ｒ２は第１面と共軸上の屈折面、第３面Ｒ３は第２面Ｒ２に対して傾いた反射面、第４面Ｒ４、第５面Ｒ５はそれぞれの全面に対してシフトされ、傾いた反射面、第６面Ｒ６は第５面Ｒ５に対してシフト、傾いた屈折面から構成されている一体型非軸結像レンズ光学系を構成していることが分かる。
【０００７】
しかし、このような一体型非軸結像レンズ光学系の場合にも、上述したように、前記光学系の全長対イメージセンサの対角長さの比（全長／イメージセンサの対角長さ）は２．４〜４．３の範囲内で形成されるところ、たとえ、従来の共軸系のカメラレンズ系に比べて光軸上の長さを減少させることができるという利点は備えているが、図示されているように、単一のイメージセンサ上で広画角を確保すると同時に前記光学系の全厚を縮小するのには極めて制限的に構成されているしかないことが分かる。
【０００８】
これに加え、上述したような従来の光学系において、イメージセンサの大きさを縮小させることにより、上述した光学系の全厚を減少させることが可能な方法も考慮することができるが、このような方法も、前記イメージセンサの大きさ縮小にはある程度限界を持っているという点からみて、その効果は大きくない。
【０００９】
したがって、モバイルカメラ光学系において広画角を実現させると同時に前記光学系の全長を減少させるためには、上述したようなプリズムを使用するレンズ系または一体型非軸結像レンズ系の他に、別途の光学レンズシステムを発明する必要が発生した。
【００１０】
【特許文献１】米国特許第６０８４７１５号明細書
【発明の開示】
【発明が解決しようとする課題】
【００１１】
そこで、本発明はこのような問題点に鑑みてなされたもので、その目的とするところは、画角を２つ以上に分割させて広画角を確保するようにすると同時に、前記分割されたそれぞれの画角に対応するそれぞれの非軸レンズ系を設けるようにすることにより、全体光学レンズ系の全長を減少させうるようにすることにある。
【００１２】
本発明の他の目的は、前記複数の非軸レンズ系を一体に形成させることにより、素子数の減少によるコストダウンおよび構成レンズの一体化による組立工程における不良減少を図るようにすることにある。
【課題を解決するための手段】
【００１３】
上記目的を解決するために、本発明の超薄型モバイルカメラ光学レンズシステムは、モバイルカメラ光学系の画角を同一の量で２以上分割させ、前記分割された画角のそれぞれに対応し、前記それぞれの分割された画角によって入射した光ビームを透過させる２以上のレンズ系と、前記２以上のレンズ系を介して透過した光ビームを受光する単一のイメージセンサとを含んでなるが、前記画角は、モバイルカメラに入力される光ビームを互いに異なる光軸を持つように分割させ、前記レンズ系は、非軸結像系で構成し、前記レンズ系は、射出金型またはウェーハスケールで製作することができ、前記単一のイメージセンサは、前記分割された画角の数に対応するようにそれぞれ分割されて、前記複数のレンズ系を透過した光ビームが前記イメージセンサのそれぞれの領域に結像するようにしたことを技術的特徴とする。
【００１４】
また、本発明の超薄型モバイルカメラ光学レンズシステムを用いたイメージ結像方法は、モバイルカメラ光学系の画角を同一の量で２以上分割させる段階と、前記分割された画角によって入射したそれぞれの光ビームを対応するそれぞれのレンズ系を介して透過させる段階と、前記それぞれのレンズ系を介して透過した光ビームを対応するイメージセンサのそれぞれの領域に結像させる段階と、前記イメージセンサのそれぞれの領域に結像したイメージを結合させる段階とを含んでなるが、前記レンズが倒立像の場合、前記イメージセンサのそれぞれの領域に結像したイメージの結合は、フォトスティッチングまたはパノラマモザイク方法によって行われることをその技術的特徴とする。
【００１５】
上述した本発明の目的は、この技術分野で熟練した当業者によって、添付図面を参照して後述される本発明の好適な実施例からさらに明確になるであろう。
【発明の効果】
【００１６】
本発明に係る超薄型モバイルカメラを使用する場合には、上述したように画角を２以上に分割させることにより広視野角を確保するようにすることができるという利点があると共に、前記分割されたそれぞれの画角に対応するそれぞれの非軸レンズ系を設け且つこれに対応するイメージセンサ部の相当な程度の縮小を実現することができて全体光学レンズシステムの全長を大幅減少させることができるという利点がある。
【００１７】
また、前記複数の非軸レンズ系を一体に形成させることにより、素子数の減少によるコストダウン、および構成レンズの一体化による組立工程における不良減少を図るようにしたことに本発明の別の利点がある。
【発明を実施するための最良の形態】
【００１８】
以下に添付図面を参照しながら、本発明について詳細に説明する。
【００１９】
図４Ａ〜図４Ｃは従来のカメラと画角を分割した場合のカメラを例示的に示す図、図５Ａ〜図５Ｄは本発明に係る光学系を用いてイメージを得る方法を示す図、図６は本発明の一実施例に係る２つの非軸レンズ系を備えたモバイルカメラ光学系の斜視図、図７は図６の断面図、図８は図７の非軸レンズのいずれか一つの拡大図、図９Ａおよび図９Ｂは各領域別の座標による横光線収差図である。
【００２０】
本発明は、上述したように、従来の共軸系のカメラ光学系、プリズムレンズを用いたカメラ光学系、および一体型非軸レンズを用いたカメラ光学系に比べて、同一またはさらに優れた性能を保つと同時に広画角を備え、カメラ光学系の全長を大幅縮小させ得るようにしたことをその技術的特徴としている。このような技術的特徴を達成するために、本発明は、上述した従来のモバイルカメラ光学システムとは異なる方式のモバイルカメラ光学レンズシステムを使用する必要が要求された。
【００２１】
すなわち、カメラ光学系の全長を縮小させるための方法の一つとして、イメージセンサの大きさ自体を縮小させる方法が最も一般に考えられるが、上述したように従来の光学システムを保ちながら、そのシステム内でイメージセンサの大きさを縮小させるのには相当な難しさがあった。これにより、実質的に従来の光学系において、このような方法は、前記光学系の全長の縮小にはあまり効果的でないことが分かった。
【００２２】
ところが、本発明は、従来の上述したような光学システムではなく、別個の光学システムを提案することにより、実質的にイメージセンサの大きさの減少をもたらすようにして全体光学システムの全長の縮小を図ることが可能な方法を開発することになった。
【００２３】
このように、イメージセンサの大きさ自体の相当な程度の縮小をもたらすと、実際に光学系の全長を相当な程度に縮小させることが可能な効果を発生させることができるという点と、前記縮小されたイメージセンサを互いに結合させることにより従来のイメージセンサの大きさと同一の大きさを保ち得るようにすることができるという点に着目し、本出願人は、本発明のような超薄型モバイル光学レンズ系を着想することができる。
【００２４】
特に、このような方法を使用するために、本発明は、まず、カメラ光学系に入ってくる画角を分割させ、前記分割された画角にそれぞれ対応するレンズ系を別途に備えさせることにより、上述した従来の光学システムとは別個のシステムを着眼して、上述したような超薄型モバイル光学レンズ系を実現することができる。
【００２５】
まず、本発明の光学レンズシステムを実現するためには、カメラの画角を分割することが要求されるところ、画角分割の概念を図４Ａ、図４Ｂおよび図４Ｃに基づいて説明する。図４Ａは一般的なモバイルカメラ光学系の画角（約６０°の場合）を示しており、この画角は、カメラレンズが物体を捕捉することが可能な角度（視野角）を意味する。このような画角を分割するというのは、図４Ｂおよび図４Ｃに概念的に示されているように、互いに異なる光軸を有し、図４Ｂのように狭い画角を持つ複数のカメラを用いてそれぞれの画角を約３０°に保ち得るようにすることにより、図４Ｃのように元の画角である６０°の場合を達成することができるようにすることである。特に、これは、物体のイメージをそれぞれの互いに異なる光軸を備えるカメラでその半分のイメージのみを獲得するようにした後、別途のプログラムによって前記イメージを結合させる過程を必要とすることが分かる。
【００２６】
すなわち、このような画角分割概念を用いて、本発明に係るモバイルカメラによって物体のイメージを獲得する過程を図５Ａ〜図５Ｄを参照して簡略に説明すると、図５Ａに示されている物体のイメージは、本発明に係るモバイルカメラによってその画角が約３０°に分割される。よって、前記物体のイメージの約半分程度が、前記それぞれの画角によって、図５Ｂに示されている本発明に係る複数のモバイル光学レンズシステム１００に入射し、それぞれの分割された画角によって入射した光ビームは、前記それぞれの画角に対応する第１非軸レンズ系１１０ａおよび第２非軸レンズ系１１０ｂを透過し、前記それぞれの非軸レンズ系１１０を透過した光ビームは、対応するそれぞれのイメージセンサ１２０の領域にそのイメージを結像させる。
【００２７】
すなわち、第１非軸レンズ系１１０ａを透過した光ビームは、前記イメージセンサ１２０の第１イメージセンサ部１２０ａにそのイメージを結像させ、第２非軸レンズ系１１０ｂを透過した光ビームは、イメージセンサ１２０の第２イメージセンサ部１２０ｂにそのイメージを結像させる。このような過程により、前記イメージセンサ１２０に物体のイメージが結像している様子が図５Ｃに示されている。上述したように、本発明は、画角を分割して互いに異なる光軸を備える別途のレンズ系を２つ以上備えるようにすることにより、その対応するそれぞれのイメージセンサ部１２０ａ、１２０ｂの大きさを相当な程度に減少させることができて、全体光学レンズシステムの厚さを相当な程度に縮小させることができるという効果をもたらすことが可能である。
【００２８】
図５Ｃに示されている物体のイメージは、本実施例の場合、物体の半分のみがそれぞれのイメージセンサ部１２０ａ、１２０ｂに形成されていることが分かる。このようなそれぞれのイメージは、一つに結合する過程が要求される。前記実施例の場合は、それぞれのレンズが倒立状の場合であって、フォトスティッチング（photo stitching）またはパノラマモザイク（panorama mosaicing）の方法を用いて前記２つのイメージを図５Ｄに示されているように一つに結合させているが、もしそれぞれのレンズが正立状に形成されている場合には、レンズの精密な調整により前記それぞれの像を結合させることができる。
【００２９】
上述したような概念によって形成される本発明に係る超薄型モバイルカメラ光学レンズシステム１００を図６および図７を参照して具体的に説明すると、本発明は、２つ以上に分割された画角によって入射した光ビームを透過させる２以上のレンズ系１１０ａ、１１０ｂと、前記２以上のレンズ系１１０ａ、１１０ｂを介して透過した光ビームを受光する単一のイメージセンサ１２０とから構成される超薄型モバイルカメラ光学系をその技術的特徴とする。
【００３０】
図７には、前記分割された画角によって入射する光ビームがそれぞれの第１非軸レンズ系１１０ａおよび第２非軸レンズ系１１０ｂに入射する様子が示されている。このような画角の分割は、モバイルカメラに入力される光ビームを互いに異なる光軸を持つように分割することにより得られる。また、本発明は、図示されているように、複数のレンズ系を使用しているところ、従来の技術の共軸系を使用することによっては本発明を技術的に実現することが難しいという点からみて、非軸レンズ系を使用するようにすることにより、上述したような技術的目的を達成することができる。
【００３１】
本発明の上述した実施例では、画角を二分割するようにすることにより、これに対応する２つの非軸レンズ系１１０を使用していることを示しているが、これに本発明が限定されるのではなく、必要に応じて画角はさらに多数個に分割される。この場合、これに対応する非軸レンズ系の数も同様に増加する。上述したような画角の分割は、モバイルカメラの広画角を確保することができるようにするという点からみて、本発明の別の技術的利点であると言える。
【００３２】
特に、本発明のように、複数の小さい画角を備えるレンズを用いてレンズシステムを構成する場合には、１／Ｎ（レンズの数）の大きさに結像領域を縮小することができ、且つ画角が小さいため設計に有利であるという利点がある。しかも、前記複数のレンズを結合させることにより、既存のレンズの画角と同一またはさらに大きい画角を実現することができ、且つ同一サイズのイメージセンサをより薄い全長の光学システムを用いて実現することができることに本発明の技術的な利点がある。
【００３３】
このように構成された本発明の非軸レンズ系１１０の構成をさらに具体的に説明すると、前記それぞれの非軸レンズ系１１０は、本発明の一実施例において、４つのレンズ面１３０、１４０、１５０、１６０を備えて一つの非軸レンズ系を形成するようになっている。本発明の実施例と同様に２つの非軸レンズ系を備えている場合には、前記２つの非軸レンズ系１１０ａ、１１０ｂは、互いに対称的に形成される。また、本発明に係る非軸レンズ系１１０は、一体にまたはそれぞれ射出金型によって形成でき、且つ、図７に示されているようにウェーハスケールで形成できて大量製作することが可能であるという利点がある。このように本発明に係る非軸レンズ系１１０は、一体に形成できるという点からみて、製造工程の単純化による組立工程における不良を減少させることができるという利点、およびその素子の数を減少させることができてコストをダウンすることができるという利点を持つ。
【００３４】
図８は、本発明の一実施例に係る非軸レンズ系１１０の一部分を拡大した図である。図８を参照して、本発明に係る非軸レンズ系１１０のそれぞれのレンズ面の特性を考察すると、前記それぞれのレンズ面１３０、１４０、１５０、１６０は、上述したように、次の数式１を満足するＸＹ多項式（polynomial）自由曲面で形成されることを技術的特徴とする。
【００３５】
【数１】
2007047792.tif 000003
【００３６】
ここで、ｚ軸が自由曲面の軸、ｃは頂点曲率（vertex curvature）、ｋは円錐定数（conic constant）、Ｃj（ｊは２以上の整数）は係数をそれぞれ示す。
一方、本発明に係る非軸レンズ系１１０のレンズ面は前記ＸＹ多項式（polynomial）自由曲面に限定されるものではなく、その以外の自由曲面式で形成することもできる。
【００３７】
表１には前記ＸＹ多項式自由曲面の係数とエイリアス（alias）が与えられる。
【００３８】
【表１】
2007047792.tif 000004
【００３９】
また、図８に示されている非軸レンズ系１１０のそれぞれのレンズ面１３０、１４０、１５０、１６０は、表２に開示されている値を備えるように設計される。すなわち、表２にはそれぞれのレンズの中心座標、傾き、当該面の非球面係数の値を示している。ここで、基準となる（０，０，０）の位置はストップ（stop）面である。
【００４０】
【表２】
2007047792.tif 000005
【００４１】
図９Ａおよび図９Ｂは、本発明に係る超薄型モバイルカメラ光学レンズシステムの各領域別の同座標による横光線収差図である。
【００４２】
上述したような表１、表２によって設計されるそれぞれのレンズ面１３０、１４０、１５０、１６０を備える非軸レンズ系１１０を図７を参照して説明すると、分割された画角のそれぞれによって入射した光ビームは、各非軸レンズ系１１０の入射面１３０を通過し、第１反射面１４０と第２反射面１５０で反射された後、出射面１６０を透過してイメージセンサ１２０に到達して結像する。
【００４３】
前記イメージセンサ１２０は、前記分割された画角の数に対応するようにそれぞれのイメージセンサ部１２０ａ、１２０ｂに分割されており、前記複数の非軸レンズ系１１０を透過した光ビームが前記イメージセンサのそれぞれのセンサ部領域に結像するように構成されている。上述したように、本発明は、前記イメージセンサをそれぞれの画角に対応するように分割させることにより、実質的にイメージセンサの大きさを相当な程度に縮小させて全体光学系の大きさを相当な程度に減少させるようにしたことを技術的特徴としており、また、画角の分割によって広画角を実現したという点を技術的特徴としている。
【００４４】
すなわち、本発明に係る光学レンズシステムを使用すると、前記光学レンズシステムは、Ｌ／ＩＤ≦０．６（Ｌ：全長、ＩＤ：イメージセンサの対角長さ）条件を満足することができるように構成できる。これは、従来の共軸系、一体型非軸レンズ系またはプリズムを使用した光学系に比べて相当な程度の全長の減少をもたらすことができるという効果を備えている。
【００４５】
上述したような超薄型モバイルカメラ光学レンズシステムを用いて物体のイメージを結像させる方法は、モバイルカメラ光学系の画角を同一の量で２以上に分割させる段階と、前記分割された画角によって入射したそれぞれの光ビームを対応するそれぞれの非軸レンズ系を介して透過させる段階と、前記それぞれの非軸レンズ系を介して透過した光ビームを対応するイメージセンサのそれぞれの領域に結像させる段階とを経て、最後に、前記イメージセンサのそれぞれのセンサ部領域に結像したイメージをフォトスティッチングまたはパノラマモザイク方法によって結合させることによりイメージを得ることをその技術的特徴とする。
【００４６】
以上における叙述は特定の実施例と関連したものであって、請求の範囲に現われた発明の思想および領域から外れない限度内で様々な改造および変化が可能であることを、当業界で通常の知識を有する者であれば誰でも容易に分かる。
【図面の簡単な説明】
【００４７】
【図１】従来の共軸系光学系を示す図である。
【図２】従来のプリズムレンズを使用した光学系を示す図である。
【図３】従来の一体型プリズムレンズを使用した光学系を示す図である。
【図４Ａ】本発明に係る画角分割の概念を説明するための図である。
【図４Ｂ】本発明に係る画角分割の概念を説明するための図である。
【図４Ｃ】本発明に係る画角分割の概念を説明するための図である。
【図５Ａ】本発明に係る光学レンズシステムによるイメージ結像過程を示す図である。
【図５Ｂ】本発明に係る光学レンズシステムによるイメージ結像過程を示す図である。
【図５Ｃ】本発明に係る光学レンズシステムによるイメージ結像過程を示す図である。
【図５Ｄ】本発明に係る光学レンズシステムによるイメージ結像過程を示す図である。
【図６】本発明に係る超薄型モバイル光学レンズシステムの斜視図である。
【図７】図６の断面図である。
【図８】図７の非軸レンズ系の部分拡大図である。
【図９Ａ】本発明に係る超薄型モバイル光学レンズシステムの各領域別同座標による横光線収差図である。
【図９Ｂ】本発明に係る超薄型モバイル光学レンズシステムの各領域別同座標による横光線収差図である。
【符号の説明】
【００４８】
１００  モバイル光学レンズ系
１１０  非軸レンズ系
１２０  イメージセンサ
１３０  入射面
１４０  第１反射面
１５０  第２反射面
１６０  出射面
【図１】
2007047792.tif 000008
【図２】
2007047792.tif 000009
【図３】
2007047792.tif 000010
【図５Ａ】
2007047792.tif 000011
【図５Ｂ】
2007047792.tif 000012
【図５Ｃ】
2007047792.tif 000013
【図５Ｄ】
2007047792.tif 000014
【図７】
2007047792.tif 000015
【図８】
2007047792.tif 000016
【図９Ａ】
2007047792.tif 000017
【図９Ｂ】
2007047792.tif 000018
【図４Ａ】
2007047792.tif 000019
【図４Ｂ】
2007047792.tif 000020
【図４Ｃ】
2007047792.tif 000021
【図６】
2007047792.tif 000022